【手続補正書】
【提出日】平成19年10月25日(2007.10.25)
【手続補正１】
【補正対象書類名】明細書
【補正対象項目名】特許請求の範囲
【補正方法】変更
【補正の内容】
【特許請求の範囲】
【請求項１】  Ａ．２３〜６５重量パーセントのフッ化ビニリデン、２５〜７５重量パーセントのパーフルオロ（アルキルビニル）エーテル、０〜３０重量パーセントのテトラフルオロエチレン、および０．３〜５重量パーセントの２−ヒドロペンタフルオロプロペンの共重合化された単位から本質的になるフルオロエラストマー共重合体であって、共重合体鎖端に化学的に結合された０．０５〜１重量パーセントのヨウ素を有するフルオロエラストマー共重合体と、
Ｂ．ポリヒドロキシ架橋剤と、
Ｃ．硬化促進剤と、
Ｄ．金属酸化物、金属水酸化物、およびそれらの混合物からなる群から選択される酸受容体と、
Ｅ．有機過酸化物と、
Ｆ．ポリ不飽和助剤と
を含むことを特徴とする硬化性組成物。
【請求項２】  Ａ）２３〜６５重量パーセントのフッ化ビニリデン、２５〜７５重量パーセントのパーフルオロ（アルキルビニル）エーテル、０〜３０重量パーセントのテトラフルオロエチレン、および０．３〜５重量パーセントの２−ヒドロペンタフルオロプロペンの共重合化された単位から本質的になるフルオロエラストマー共重合体であって、共重合体鎖端に化学的に結合された０．０５〜１重量パーセントのヨウ素を有するフルオロエラストマー共重合と、
Ｂ）ｉ）ビスフェノールの第四級アンモニウム塩、ｉｉ）ビスフェノールの第四級ホスホニウム塩およびｉｉｉ）ビスフェノールの第三級スルホニウム塩からなる群から選択される化合物と、
Ｃ）金属酸化物、金属水酸化物、およびそれらの混合物からなる群から選択される酸受容体と、
Ｄ）有機過酸化物と、
Ｅ）ポリ不飽和助剤と
から本質的になることを特徴とする硬化性組成物。
【手続補正２】
【補正対象書類名】明細書
【補正対象項目名】００６３
【補正方法】変更
【補正の内容】
【００６３】
【表１】
2004514776.tif 000001
本出願は、特許請求の範囲に記載された発明を含め、以下の発明を包含する。
（１）  Ａ．２３〜６５重量パーセントのフッ化ビニリデン、２５〜７５重量パーセントのパーフルオロ（アルキルビニル）エーテル、０〜３０重量パーセントのテトラフルオロエチレン、および０．３〜５重量パーセントの２−ヒドロペンタフルオロプロペンの共重合化された単位から本質的になるフルオロエラストマー共重合体であって、共重合体鎖端に化学的に結合された０．０５〜１重量パーセントのヨウ素を有するフルオロエラストマー共重合体と、
Ｂ．ポリヒドロキシ架橋剤と、
Ｃ．硬化促進剤と、
Ｄ．金属酸化物、金属水酸化物、およびそれらの混合物からなる群から選択される酸受容体と、
Ｅ．有機過酸化物と、
Ｆ．ポリ不飽和助剤と
を含むことを特徴とする硬化性組成物。
（２）  前記ポリヒドロキシ架橋剤が、ｉ）ジヒドロキシ−、トリヒドロキシ−、およびテトラヒドロキシ−ベンゼン、−ナフタレン、および−アントラセン、ｉｉ）下式のビスフェノール
【化１】
2004514776.tif 000002
（式中、Ａは安定な二価の基であり、ｘは０または１であり、かつ、ｎは１または２である）、ｉｉｉ）前記ビスフェノールのジアルカリ塩、ｉｖ）前記ビスフェノールの第四級アンモニウム塩およびホスホニウム塩、ｖ）前記ビスフェノールの第三級スルホニウム塩、ならびにｖｉ）フェノール類のエステルからなる群から選択されることを特徴とする（１）に記載の組成物。
（３）  前記硬化促進剤が、第四級アンモニウム塩、第三級スルホニウム塩および第四級ホスホニウム塩からなる群から選択されることを特徴とする（１）に記載の硬化性組成物。
（４）  前記有機過酸化物が、２，５−ジメチル−２，５−ジ（ターシャリーブチルペルオキシ）ヘキシン−３、２，５−ジメチル−２，５−ジ（ターシャリーブチルペルオキシ）−ヘキサン、ジクミルペルオキシド、過酸化ジベンゾイル、過安息香酸ターシャリーブチル、およびジ［１，３−ジメチル−３−（ｔ−ブチルペルオキシ）ブチル］カーボネートからなる群から選択されることを特徴とする（１）に記載の硬化性組成物。
（５）  前記助剤が、シアヌル酸トリアリル、イソシアヌル酸トリアリル、イソシアヌル酸トリ（メタリル）、トリス（ジアリルアミン）−ｓ−トリアジン、亜リン酸トリアリル、Ｎ，Ｎ−ジアリルアクリルアミド、ヘキサアリルホスホルアミド、Ｎ，Ｎ，Ｎ’，Ｎ’−テトラアルキルテトラフタルアミド、Ｎ，Ｎ，Ｎ’，Ｎ’−テトラアリルマロンアミド、イソシアヌル酸トリビニル、２，４，６−トリビニルメチルトリシロキサン、およびシアヌル酸トリ（５−ノルボルネン−２−メチレン）からなる群から選択されることを特徴とする（１）に記載の硬化性組成物。
（６）  ゼオライトをさらに含むことを特徴とする（１）に記載の組成物。
（７）  変性シランでコートされた鉱物質充填材をさらに含むことを特徴とする（１）に記載の組成物。
（８）  前記変性シランでコートされた鉱物質充填材が、エポキシシランでコートされたウォラストナイトおよびアミノシランでコートされたウォラストナイトからなる群から選択されることを特徴とする（７）に記載の組成物。
（９）モレキュラーシーブをさらに含むことを特徴とする（１）に記載の組成物。
（１０）  Ａ）２３〜６５重量パーセントのフッ化ビニリデン、２５〜７５重量パーセントのパーフルオロ（アルキルビニル）エーテル、０〜３０重量パーセントのテトラフルオロエチレン、および０．３〜５重量パーセントの２−ヒドロペンタフルオロプロペンの共重合化された単位から本質的になるフルオロエラストマー共重合体であって、共重合体鎖端に化学的に結合された０．０５〜１重量パーセントのヨウ素を有するフルオロエラストマー共重合と、
Ｂ）ｉ）ビスフェノールの第四級アンモニウム塩、ｉｉ）ビスフェノールの第四級ホスホニウム塩およびｉｉｉ）ビスフェノールの第三級スルホニウム塩からなる群から選択される化合物と、
Ｃ）金属酸化物、金属水酸化物、およびそれらの混合物からなる群から選択される酸受容体と、
Ｄ）有機過酸化物と、
Ｅ）ポリ不飽和助剤と
から本質的になることを特徴とする硬化性組成物。
（１１）  前記有機過酸化物が、２，５−ジメチル−２，５−ジ（ターシャリーブチルペルオキシ）ヘキシン−３、２，５−ジメチル−２，５−ジ（ターシャリーブチルペルオキシ）−ヘキサン、ジクミルペルオキシド、過酸化ジベンゾイル、過安息香酸ターシャリーブチル、およびジ［１，３−ジメチル−３−（ｔ−ブチルペルオキシ）ブチル］カーボネートからなる群から選択されることを特徴とする（１０）に記載の硬化性組成物。
（１２）  前記助剤が、シアヌル酸トリアリル、イソシアヌル酸トリアリル、イソシアヌル酸トリ（メタリル）、トリス（ジアリルアミン）−ｓ−トリアジン、亜リン酸トリアリル、Ｎ，Ｎ−ジアリルアクリルアミド、ヘキサアリルホスホルアミド、Ｎ，Ｎ，Ｎ’，Ｎ’−テトラアルキルテトラフタルアミド、Ｎ，Ｎ，Ｎ’，Ｎ’−テトラアリルマロンアミド、イソシアヌル酸トリビニル、２，４，６−トリビニルメチルトリシロキサン、およびシアヌル酸トリ（５−ノルボルネン−２−メチレン）からなる群から選択されることを特徴とする（１０）に記載の硬化性組成物。
（１３）  ゼオライトをさらに含むことを特徴とする（１０）に記載の組成物。
（１４）  変性シランでコートされた鉱物質充填材をさらに含むことを特徴とする（１０）に記載の組成物。
（１５）  前記変性シランでコートされた鉱物質充填材が、エポキシシランでコートされたウォラストナイトおよびアミノシランでコートされたウォラストナイトからなる群から選択されることを特徴とする（１４）に記載の組成物。
（１６）  モレキュラーシーブをさらに含むことを特徴とする（１０）に記載の組成物。